(57)【要約】【課題】画像読取装置において、比較的安価でありながら防振効果の高い駆動モータの取付構造を提供する。【解決手段】駆動モータ３６を樹脂製の取付部材１００を介して画像読取装置本体のフレーム３００に取り付ける。当該取付部材１００は、そのフレーム取着部１３０のねじ止め用の台座部１３３〜１３５の裏面のみがフレーム３００で接触した状態でねじ止め固定される。【選択図】図４
2011217491.tif 000002
【特許請求の範囲】
【請求項１】
駆動モータを、台座を介して画像読取装置本体のフレームに取り付ける取付構造であって、
前記台座は、樹脂製であると共に、締結部材を介して前記フレームに固定されるように構成されており、前記フレームに対向する面のうち、当該締結部材が取着される部分が前記フレーム側に進出するように形成され、当該進出部分のみがフレームに接触した状態で固定される
ことを特徴とする駆動モータの取付構造。
【請求項２】
前記締結部材は軸状であると共に、前記台座に設けられた締結部材の取付穴が、筒形状に形成されており、当該筒形状の取付穴の端面において前記フレームに接触した状態で台座が固定される
ことを特徴とする請求項１に記載の駆動モータの取付構造。
【請求項３】
前記台座の前記駆動モータとの対向面には、リブが立設されており、当該リブを介して駆動モータが台座に接触した状態で取り付けられる
ことを特徴とする請求項１または２に記載の駆動モータの取付構造。
【請求項４】
前記リブは、前記駆動モータの台座への取着面の外縁の内側に対応する位置に形成されている
ことを特徴とする請求項３に記載の駆動モータの取付構造。
【請求項５】
前記台座の前記フレームとの締結部は、前記駆動モータの取着部分よりも外側に張り出した部分に設けられている
ことを特徴とする請求項１から４のいずれかに記載の駆動モータの取付構造。
【請求項６】
前記台座は、少なくとも３箇所において、締結部材により前記フレームに固定される
ことを特徴とする請求項１から５のいずれかに記載の駆動モータの取付構造。  
【請求項７】
前記台座の本体は空洞であると共に、その側面には少なくとも１箇所に開口部が設けられていることを特徴とする請求項１から６のいずれかに記載の駆動モータの取付構造。
【請求項８】
前記駆動モータは、その駆動軸が、前記空洞内に突出する状態で台座に取り付けられ、  前記開口部は、前記駆動軸に連結される駆動力伝達手段の介在を許容する位置に設けられていることを特徴とする請求項７に記載の駆動モータの取付機構。
【請求項９】
前記駆動モータの駆動軸の駆動力は、駆動ベルトを介して画像読取装置本体の被駆動軸に伝達されるように構成され、前記台座には、前記駆動ベルトに張力を与える方向に台座を付勢する付勢手段の取付けが可能であると共に、前記台座の締結部材の取付穴は、前記付勢手段による台座の移動を許容する方向に長手方向を有する長穴であること
を特徴とする請求項１から８のいずれかに記載の駆動モータの取付構造。
【請求項１０】
請求項１から９のいずれかに記載の駆動モータの取付構造により駆動モータが取り付けられたことを特徴とする画像読取装置。
【発明の詳細な説明】
【技術分野】
【０００１】
本発明は、原稿の画像を読み取る画像読取装置における駆動モータの取付構造および、当該取付構造によって駆動モータが取り付けられた画像読取装置に関する。
【背景技術】
【０００２】
画像読取装置として、プラテンガラス上に載置された原稿に対して、プラテンガラスの下面に沿って線状光源および反射ミラーを搭載したスキャナを副走査方向にスライドさせ、原稿からの反射光をＣＣＤセンサにまで導いて原稿の画像を読み取るミラースキャン方式がある。
通常、スキャナは、モータを駆動源としてワイヤー駆動により副走査方向にスライド移動されるように構成されるが、このモータの振動が、画像読取装置のフレームに直接伝わると騒音を発する上、その振動が、スキャナの移動速度に悪影響を及ぼして読取画像の質が劣化するおそれがある。
【０００３】
そこで、従来から、モータの振動が装置本体のフレームに伝達されないようにするため、当該モータを防振ゴムなどの弾性材料を介してフレームに取り付けるようにしている。
図８は、上記従来のモータの取付構造の一例を示すものであって、２枚の金属製のフランジ５０４、５０６の間に、モータ５０１の駆動軸５０３が貫通する貫通穴５０５ａが設けられた防振ゴム５０５を介在させて取付部材５１０を構成している。
【０００４】
防振ゴム５０５は、各フランジ５０４、５０６と接着剤などで固着されており、フランジ５０４をモータ５０１側のフランジ５０２にねじ止めし、フランジ５０５を装置本体のフレーム５０７にねじ止めするようになっている。
これにより、モータ５０１の発生する振動の大部分が、防振ゴム５０５により減衰されて、その振動がフレーム５０７に伝わりにくくなる。また、さらに駆動軸５０３にダイナミックダンパーを付設して振動を抑制する構成のものもある。
【先行技術文献】
【特許文献】
【０００５】
【特許文献１】特開２０００−１６６１６７号公報
【特許文献２】特開平５−１６８１８８号公報
【発明の概要】
【発明が解決しようとする課題】
【０００６】
しかしながら、２枚の金属板フランジ間に防振ゴムを介在させる構成では、部品点数が多くなる上、防振ゴムは高価であるという問題がある。また、ダイナミックダンパーを設ける場合には、さらなるコストアップが避けられない。
本発明は、上記問題に鑑みてなされたものであって、画像読取装置において、比較的安価でありながら防振効果の高い駆動モータの取付構造および当該取付構造により駆動モータを取り付けてなる画像読取装置を提供することを目的とする。
【課題を解決するための手段】
【０００７】
上記目的を達成するため、本発明は、駆動モータを、台座を介して画像読取装置本体のフレームに取り付ける取付構造であって、前記台座は、樹脂製であると共に、締結部材を介して前記フレームに固定されるように構成されており、前記フレームに対向する面のうち、当該締結部材が取着される部分が前記フレーム側に進出するように形成され、当該進出部分のみがフレームに接触した状態で固定されることを特徴とする。
【発明の効果】
【０００８】
上記構成によれば、台座が樹脂製なので、それ自体で駆動モータの振動を吸収することができ、しかも、画像読取装置本体のフレームに対向する面のうち締結部材を取着する部分のみが当該フレームに向かって進出した形状となっており、フレームとの固定に必要な部分のみで接触させることが可能なので、台座がフレームに対向する面全体でフレームに接触する場合に比べて、振動をフレームに伝達しにくい構成とすることができる。これにより、読取画像の劣化を防止すると共に、ユーザにとって不快な騒音の発生を抑制することができる。上記樹脂材料は、射出成形等により大量生産が可能であると共に、防振ゴムやダイナミックダンパーに比べて安価であり、コストを大幅に低減することができる。
【０００９】
ここで、前記締結部材は軸状であると共に、前記台座に設けられた締結部材の取付穴が、筒形状に形成されており、当該筒形状の取付穴の端面において前記フレームに接触した状態で台座が固定されるとしてもよい。
また、ここで、前記台座の前記駆動モータとの対向面には、リブが立設されており、当該リブを介して駆動モータが台座に接触した状態で取り付けられるとしてもよい。
【００１０】
さらに、ここで、前記リブは、前記駆動モータの台座への取着面の外縁の内側に対応する位置に形成されているとしてもよい。
ここで、また、前記台座の前記フレームとの締結部は、前記駆動モータの取着部分よりも外側に張り出した部分に設けられているとしてもよい。
ここで、さらに、前記台座は、少なくとも３箇所において、締結部材により前記フレームに固定されることとしてもよい。  
【００１１】
また、ここで、前記台座の本体は空洞であると共に、その側面には少なくとも１箇所に開口部が設けられていることとしてもよい。
さらに、ここで、前記駆動モータは、その駆動軸が、前記空洞内に突出する状態で台座に取り付けられ、前記開口部は、前記駆動軸に連結される駆動力伝達手段の介在を許容する位置に設けられているとしてもよい。
【００１２】
また、前記駆動モータの駆動軸の駆動力は、駆動ベルトを介して画像読取装置本体の被駆動軸に伝達されるように構成され、前記台座には、前記駆動ベルトに張力を与える方向に台座を付勢する付勢手段の取付けが可能であると共に、前記台座の締結部材の取付穴は、前記付勢手段による台座の移動を許容する方向に長手方向を有する長穴であることとしてもよい。
【００１３】
また、本発明は、上記駆動モータの取付構造により駆動モータを取り付けてなる画像読取装置としてもよい。
【図面の簡単な説明】
【００１４】
【図１】本発明の実施の形態に係る画像読取装置が搭載された複写機の一例を示す概略構成図である。
【図２】上記複写機における画像読取部の駆動機構を示す概略斜視図である。
【図３】上記画像読取部における駆動モータ取付部の構成を示す斜視図である。
【図４】（ａ）、（ｂ）は、それぞれ図３の駆動モータ取付部をＣ方向、Ｄ方向から見た図である。
【図５】（ａ）、（ｂ）は、それぞれ、駆動モータの取付部材を斜め上方と、斜め下方から見たときの斜視図である。
【図６】駆動モータの取付部材の変形例を示すための下方斜視図である。
【図７】駆動モータの取付部材の別の変形例を示すための下方斜視図である。
【図８】従来の駆動モータの取付構造を示す図である。
【発明を実施するための形態】
【００１５】
以下、本発明の実施の形態に係る駆動モータの取付構造を利用した画像読取装置を、当該画像読取装置が複写機に搭載されている場合を例にして説明する。
（１）複写機の全体構成
図１は、複写機１の全体の構成を示す図である。
同図に示すように、この複写機１は、画像読取装置１０と画像形成装置５０を組み合わせてなり、画像読取装置１０は、さらに原稿自動搬送装置２０と原稿読取部３０とを備える。
【００１６】
原稿自動搬送装置（ＡＤＦ: Automatic Document Feeder）２０は、原稿給紙トレイ２１上にセットされた複数の原稿を１枚ずつ自動的に原稿読取部３０のプラテンガラス２３上の原稿読取位置まで搬送し、原稿読取部３０により原稿画像の読み取りが行われると、原稿排紙トレイ２２上に排出する公知の装置である。
原稿読取部３０は、プラテンガラス２３の下方に、駆動モータ３６（図２参照）の駆動により図の矢印Ａ方向に走行する第１スライダーユニット（スキャナ）３１を備える。
【００１７】
第１スライダーユニット３１は、原稿読取位置に搬送された原稿を矢印Ａで示した副走査方向に移動することによって原稿画像を走査する。
原稿読取部３０は、露光ランプ３１１の照射による原稿からの反射光を第１ミラー３１２、第２ミラー３２１、第３ミラー３２２を介して光路変更しつつ、レンズ３４を介してＣＣＤセンサ３３に結像させる。ＣＣＤセンサ３３は、所定の解像度で入射光を電気信号に変換し、画像データとして制御部（不図示）に送る。
【００１８】
画像形成装置５０は、周知の電子写真方式により画像を形成するものであって、内部に感光体ドラム、現像器、転写チャージャ、クリーナ、露光ユニットおよび給紙カセットなどを備え、上記原稿読取部３０で読み取った原稿の画像データに基づき記録シート上に画像を形成する。
（２）原稿読取部３０の駆動機構
図２は、原稿読取部３０の駆動部分の概略を示す斜視図である。
【００１９】
同図に示すように、原稿読取部３０は、第１スライダーユニット３１、第２スライダーユニット３２を備えており、各スライダーユニットは、その両端部において、副走査方向（矢印Ａ方向）に配設されたレール４６、４６’によって摺動可能に保持されている。
第１スライダーユニット３１は、スキャナとして作用するものであって、露光ランプ３１１、第１ミラー３１２およびこれらを保持する第１キャリッジ３１３とからなる。
【００２０】
第２スライダーユニット３２は、第２ミラー３２１、第３ミラー３２２およびこれらのミラーをそのミラー面が９０度をなす状態で保持する第２キャリッジ３２３とからなり、これらのミラー３１２、３２１、３２２相互の位置関係は、図１に示す通りであって、露光ランプ３１１の原稿面からの反射光をレンズ３４を介してＣＣＤセンサ３３に導くように配設されている。
【００２１】
本実施の形態では、駆動モータ３６として例えばパルスモータが利用されており、当該駆動モータ３６の駆動力は、駆動ベルト３６１を介して、図示しない軸受け部によってフレーム３００（図３参照、図２では図示を省略）に回転自在に保持されたシャフト３７をベルト駆動する。
このシャフト３７の両端部にはプーリ３７２、プーリ３７２’が同軸上に固着されており、シャフト３７の回転と共に回転する。これらのプーリ３７２，３７２’と副走査方向の反対側に設けられたプーリ３９，３９’の間には、それぞれワイヤー３８，３８’が掛け渡されており、各ワイヤー３８，３８’の途中に、第１スライダーユニット３１の端部が固定されている。
【００２２】
一方、第２スライダーユニット３２の両側面には、２つのプーリ対４０，４１および４０’，４１’が軸支されており、これらのプーリ４０，４１，４０’，４１’に上記ワイヤー３８，３８’が図に示すような状態で掛け渡されている。
ワイヤー３８，３８’の一端は、固定ピン４２，４２’により原稿読取部３０本体に固定されており、またその他端は、捩りコイルバネ４３、４３’の一旦に固定されて、ワイヤー３８，３８’に適当な張力を与えるようになっている。
【００２３】
このような構成において、駆動モータ３６を回転駆動させると、プーリ３７２，３７２’を介してワイヤー３８、３８’が移動し、これに追随して第１スライダーユニット３１および第２スライダーユニット３２が移動する。このとき、プーリ４０，４１，４０’，４１’が動滑車の役目を果たすため、第２スライダーユニット３２は、第１スライダーユニット３１に対してその１／２の速度で同一方向へ移動することになる。
【００２４】
これにより、第１スライダーユニット３１が原稿走査のため移動しても、当該第１のミラー３１２から集光用のレンズ３４までの光路長が一定に保たれ、レンズ３４による結像位置を常にＣＣＤセンサ３３の表面に維持することができる。
第１スライダーユニット３１による原稿走査が終わると、駆動モータ３６を逆回転させて元の走査開始位置に復帰させる。このとき第２スライダーユニット３２も追随して元の位置に復帰する。
【００２５】
（３）駆動モータ３６の取付構造
図３は、図２におけるＢ方向から駆動モータ３６の画像読取部３０のフレーム３００への取付部を見たときの斜視図である。
同図に示すように駆動モータ３６は、取付部材（台座）１００を介して画像読取部３０のフレーム３００に取り付けられる。この取付部材１００は、例えば、ＰＣ（ポリカーボネート）などの樹脂材料を射出成形することにより形成される。
【００２６】
図４（ａ）（ｂ）は、それぞれ図３における駆動モータ取付部をＣ方向、Ｄ方向から見たときの図である。
図４（ａ）に示すように取付部材１００は、駆動モータ３６を取着するモータ取着部１１０と、胴体部１２０と、取付部材１００をフレーム３００に固定するためのフレーム取着部１３０とからなる。以下、各部について説明する。
【００２７】
（３−１）モータ取着部１１０
モータ取着部１１０の上面には駆動モータ３６が載置され、駆動モータ３６前面の対角の位置において、ねじ１４１により固定される。
図５（ａ）は、取付部材１００を斜め上方から見たときの図である。同図に示すようにモータ取着部１１０の上面の大きさと形状は、駆動モータ３６の前面（モータ取着部１１０への取着面）とほぼ同じであって、その周囲に沿ってリブ１１１が形成され、駆動モータ３６の前面の外縁の内側の部分に当接するように構成される。
【００２８】
また、ねじ穴１１２、１１３の周囲にもリブ１１１と同じ高さのリブ１１２ａ、１１３ａが形成されている。なお、円筒状部材１２１の端面１２１ａの高さは、リブ１１１の高さより低くなるように設定されている。
したがって、駆動モータ３６をモータ取着部１１０の上面に載置して、ねじ１４１で固定すると、リブ１１１、１１２ａ、１１３ａのみが駆動モータ３６の筺体前面に接触するだけとなり、駆動モータ３６の振動が取付部材１００に伝わる割合がそのモータ本体前面の全てで接触する場合よりも少なくなる構成となっている。
【００２９】
もっとも、リブ１１１は、必ずしも駆動モータ３６の前面の外縁の内側に相当する位置に立設される必要がなく、安定して駆動モータ３６を保持できる適当な位置に形成されてもよいし、また、環状である必要もない。
しかしながら、特に、駆動モータ３６の前面の外縁部には、後方に駆動モータ３６の側面部が当該前面にほぼ直交する方向に位置するため剛性が高く、駆動モータ３６のケースの中でも比較的振動が少ない部分であると考えられるので、駆動モータ３６の振動を取付部材１００にできるだけ伝達しないようにするためには、この部分で当接するようにリブ１１１が立設されることが望ましい。
【００３０】
（３−２）胴体部１２０
図５（ｂ）は、取付部材１００を斜め下方から見たときの図である。
同図に示すように胴体部１２０は、中空であって、その内部に円筒状部材１２１が一体的に形成されている。この円筒状部材１２１内部に駆動モータ３６の駆動軸３６２が挿通され（図４（ａ）参照）、当該駆動軸３６２の先端に、プーリ３６３が取着される。
【００３１】
当該円筒状部材１２１下部のプーリ３７１（図３参照）側の部分には、開口部１２２が形成されており、この開口部１２２を通って、駆動軸３６２のプーリ３６３とシャフト３７のプーリ３７１との間に駆動ベルト３６１が張架されるようになっている。
このように取付部材１００の胴体部１２０内の空洞部に駆動軸３６２を配置させて、開口部１２２から駆動ベルト３６１を取り出す構成にすることにより、取付部材１００内の空間を有効利用でき、駆動モータ３６の取り付けに必要なスペースをコンパクト化できるという利点がある。
【００３２】
なお、駆動モータ３６の駆動力を被駆動軸であるシャフト３７に伝達するための伝達手段として、駆動ベルト３６１の代わりに、例えば公知のギヤ機構を利用することも可能であるが、本実施の形態のように駆動ベルト３６１を用いることにより、駆動ベルト３６１により駆動モータ３６の駆動軸３６２の振動が吸収され、駆動モータ３６の振動がシャフト３７に伝達されにくいという利点がある。
【００３３】
（３−３）フレーム取着部１３０
図４（ａ）に戻り、フレーム取着部１３０は、胴体部１２０より外側に張り出した張出部１３１と１３２を備える。
図５（ｂ）に示すように、フレーム取着部１３０の張出部１３１、１３２の裏側には、フレーム３００側にやや進出するような状態で、ねじ止め用台座部１３３〜１３５が形成されており、各ねじ止め用台座部１３３〜１３５には長穴形状のねじ穴１３３ａ〜１３５ａが穿設される。
【００３４】
一方、フレーム取着部１３０の張出部１３２の上面側の端部には、引っ張りバネ１５０の端部を引っ掛けるための鉤部１３６が形成されると共に、フレーム３００には引っ張りバネ１５０の他の端部を引っ掛けるための鉤部３０１が立設されて引っ張りバネ１５０の取り付けが可能なようになっており（図４（ｂ）参照）、この双方の鉤部１３６，３０１に引っ張りバネ１５０を掛け渡すことにより取付部材１００を図４（ｂ）の矢印方向に付勢するように構成される。
【００３５】
各ねじ止め用台座部１３３〜１３５のねじ穴１３３ａ〜１３５ａの長手方向は、上記引っ張りバネ１５０による引っ張り方向とほぼ平行となる方向に揃っており、後述するように取付部材１００を介して駆動モータ３６を取り付ける際において、駆動ベルト３６１に適切な張力を付加するように工夫されている。なお、駆動ベルト３６１に張力を付加するための付勢手段は、上記のように引っ張りバネ１５０に限定されず、例えば、圧縮バネや板バネを利用しても構わない。
【００３６】
各ねじ穴１３３ａ〜１３５ａにねじ１４２を挿通して、フレーム取着部１３０をフレーム３００にねじ止めすると、図４（ａ）に示すようにねじ止め用の台座部１３３〜１３５の裏面のみがフレーム３００に接触した状態で固定される。
このように取付部材１００に締結部材による締結に必要な部位だけでフレーム３００に接触するようにしているため、他の胴体部１２０の底部とフレーム３００との間に隙間ｇが介在することとなり、取付部材１００の裏面全体をフレーム３００に接触する場合に比較して駆動モータ３６の振動をフレーム３００に伝達しにくいという効果が得られる。さらに、フレーム３００との接触面積が小さいので、締結部材による単位面積当たりの締結力が大きくなり、固定力が増大する。
【００３７】
また、当該締結部位は、胴体部１２０よりも外側に張り出した張出部１３１、１３２に形成されているので、モータ取着部１１０の駆動モータ３６と接触している部分から上記締結部位への実質的な距離を長くすることができ、それだけ取付部材１００を構成する樹脂材料により振動を吸収しやすいという効果も得られる。
特に、本実施の形態では、図５（ｂ）に示すように、張出部１３１と胴体部１２０の間に開口１３３ｂ、張出部１３２に開口１３４ｂが形成されており、それらの部分での剛性を低くして、より振動を吸収しやすい形状になっている。
【００３８】
また、ねじ止め用台座部１３３〜１３５は、モータ取着部１１０や胴体部１２０よりも外側に張り出しているので、ドライバーによりねじ締め動作を容易に行えるという利点もある。
上記取付部材１００におけるモータ取着部１１０、胴体部１２０およびフレーム取着部１３０は、樹脂材料を射出成形することにより一体的に形成することができ、従来のように異なる部品を組み立てる必要もなく、また、高価な防振用の弾性部材を使用することもないので、コストダウンが図れるという利点がある。  
【００３９】
実際に、本実施の形態による取付部材１００により駆動モータ３６をフレーム３００に取り付けて、駆動モータ３６を駆動したところフレーム３００の振動および騒音が許容範囲内にとどまり、原稿読取部３０による読取画像の劣化も認められなかった。
（３−４）フレーム３００への取付手順
駆動モータ３６は、次のような手順で上記取付部材１００を介してフレーム３００に取り付けられるのが望ましい。
【００４０】
（ｉ）駆動モータ３６を取付部材１００のモータ取着部１１０にねじ止めする。
（ii）プーリ３６３とプーリ３７１に駆動ベルト３６１を掛け渡し、その状態で取付部材１００のフレーム取着部１３０の裏面をフレーム３００の取付け位置に合わせて、ねじ１４２で仮止めする。
（iii)引っ張りバネ１５０の両端部を、フレーム取着部１３０の鉤部１３６とフレーム３００の鉤部３０１に掛け渡して、図４（ｂ）の矢印方向に付勢させる。
【００４１】
このとき、ねじ穴１３３ａ〜１３５ａは長穴であり、仮止めの状態なので、取付部材１００全体が、引っ張りバネ１５０によりプーリ３７１と反対方向に付勢され、駆動ベルト３６１に張力が発生する。このときの張力が最適な範囲内となるように設計段階で、引っ張りバネ１５０の長さやバネ係数が設定されている。
（iv）この状態で、ねじ１４２を本締めして、フレーム取着部１３０をしっかりとフレーム３００に固定させる。
【００４２】
以上により、組み付け時における駆動ベルト３６１の張力の設定が極めて容易になり、組立コストの低減が望める。
なお、組立後に引っ張りバネ１５０を取り外してもよいが、それだけ余分な工程が発生するし、取り外し時にフレーム取着部１３０の固定位置のずれが発生するおそれもある。  また、引っ張りバネ１５０を取着したままにしておけば、万一、長期使用によりねじ１４２が多少ゆるんだとしても、引っ張りバネ１５０により駆動ベルト３６１の張力を維持できるという利点もある。
【００４３】
（４）変形例
以上、本発明の実施の形態について説明してきたが、本発明の内容が、上記実施の形態に限定されないことは勿論であり、例えば、以下のような変形例を実施できる。
（４−１）上記実施の形態では、取付部材１００のフレーム取着部１３０における張出部１３１、１３２に、フレーム３００方向に進出したねじ止め用の台座部１３３〜１３５を設けることにより取付部材１００とフレーム３００の接触面積を小さくして駆動モータ３６の振動ができるだけフレーム３００側に伝達されないようにしたが、本変形例では、図６に示すように張出部１３１、１３２のねじ穴用の長穴を筒穴１３７〜１３９で構成し、当該筒穴１３７〜１３９の下側端面１３７ａ〜１３９ａのみでフレーム３００に接触するようにしている。
【００４４】
このようにすることにより、フレーム３００との接触面積をさらに小さくして振動伝達防止の効果が増すと共に、単位面積当たりの締結力を増大することができる。また、筒構造により、ねじ止めに必要な強度を十分確保することができる。
（４−２）また、図７に示すように胴体部１２０の対向する側壁に開口部１２３、１２４を設けるようにしてもよい。このように開口部１２２に加えて開口部１２３、１２４を設けることにより、樹脂製の胴体部１２０における剛性がさらに低下して、駆動モータ３６の振動をより吸収しやすくなるという効果が得られる。
【００４５】
駆動モータ３６の振動をバランスよく吸収するため、上記開口部１２３，１２４は、同じ大きさで対称的な位置に設けるのが望ましいが、これに限定されるものではない。
（４−３）上記実施の形態では、取付部材１００のフレーム取着部１３０における張出部１３１、１３２に駆動モータ３６の取着位置を挟んで計３個のねじ穴１３３ａ〜１３５ａにおいてねじ止めすることによりフレーム３００に固定するようにした。
【００４６】
この締結箇所を４箇所以上としても構わないが、本実施の形態のように３箇所とすることによりフレーム３００への取付面が安定し、製品誤差によるがたつきが生じにくくなる。また、フレーム３００との接触面積をできるだけ少なくして振動をフレーム３００に伝達しないようにするという観点からも、３箇所であることが望ましい。
（４−４）上記実施の形態では、ミラースキャン方式の原稿読取部３０におけるスキャナをワイヤー駆動するための駆動モータ３６の取付構造について説明したが、原稿自動搬送装置で原稿を搬送させながら原稿画像を読み取る、いわゆるシートスルー方式の画像読取装置においては、原稿自動搬送装置における原稿搬送機構にその駆動源のモータの振動が伝わるとやはり読取画像が劣化する原因となるので、当該原稿自動搬送装置における駆動モータの取付構造としても上記構成を採用することが望ましい。
【００４７】
（４−５）上記実施の形態では、複写機における原稿読取部に本発明に係る駆動モータの取付構造を利用した例を説明したが、スキャナ専用機や、ファクシミリ装置など、およそ原稿画像読取のために機械的な駆動部を有する画像読取装置全般における駆動モータの取付構造として適用可能である。
【産業上の利用可能性】
【００４８】
本発明は、画像読取装置における駆動モータの取付構造として有用である。
【符号の説明】
【００４９】
１        複写機
１０        画像読取装置
２０        原稿自動搬送装置
３０        原稿読取部
３１        第１スライダーユニット
３３        ＣＣＤセンサ
３６        駆動モータ
３６１      駆動ベルト
３６３、３７１  プーリ
１００      取付部材（台座）
１１１      リブ
１１２、１１３  ねじ穴
１２０    胴体部
１２１    円筒状部材
１２２、１２３、１２４    開口部
１３０    フレーム取着部
１３１、１３２    張り出し部
１３３、１３４、１３５    ねじ止め用台座
１３３ａ、１３４ａ、１３５ａ    ねじ穴
１３６、３０１    鉤部
１３７、１３８、１３９    筒穴
【図１】
2011217491.tif 000003
【図２】
2011217491.tif 000004
【図３】
2011217491.tif 000005
【図４】
2011217491.tif 000006
【図５】
2011217491.tif 000007
【図６】
2011217491.tif 000008
【図７】
2011217491.tif 000009
【図８】
2011217491.tif 000010